(57)【要約】【課題】ホールドボケに起因する画質劣化をより適切に改善することが可能な映像信号処理装置を提供する。【解決手段】ホールドボケ抑制処理部３において、各フレーム期間における注目画素ｎの補正の際に、その直前のフレーム期間において補正済みの同一画素（補正済画素）における補正結果を利用して補正処理を行う。これにより、このような補正処理を、時間方向におけるＩＩＲフィルタ処理として機能させることができる。よって、従来よりも高い空間周波数成分を含む入力映像信号においてもホールドボケを抑制することができ、ホールドボケに起因する画質劣化をより適切に改善する（鮮明が画像を得る）ことが可能となる。【選択図】図２
2010266681.tif 000002
【特許請求の範囲】
【請求項１】
ホールド型の表示装置に適用される入力映像信号において、所定の単位期間ごとに動きベクトルを検出する検出部と、
前記動きベクトルを用いて、前記入力映像信号により構成される入力映像の各画素値を前記単位期間ごとに補正することにより、前記表示装置において映像表示を行う際のホールドボケの抑制処理を行い、出力映像信号を生成する補正部と
を備え、
前記補正部は、各単位期間における注目画素の補正の際に、その直前の単位期間において補正済みの同一画素である補正済画素における補正結果を利用して、補正処理を行う
映像信号処理装置。
【請求項２】
前記補正部は、前記動きベクトルと、直前の単位期間における前記補正済画素での補正結果と、前記注目画素における動きベクトル方向の画素微分値とを用いて、現在の単位期間における注目画素の補正値を求める
請求項１に記載の映像信号処理装置。
【請求項３】
前記補正部は、直前の単位期間における前記補正済画素の補正値と元の画素値との差分値に対応する信頼性情報を用いて、現在の単位期間における注目画素での補正処理の大きさを制御する
請求項２に記載の映像信号処理装置。
【請求項４】
ホールド型の表示装置に適用される入力映像信号において、所定の単位期間ごとに動きベクトルを検出する検出部と、
前記動きベクトルを用いて、前記入力映像信号により構成される入力映像の各画素値を前記単位期間ごとに補正することにより、前記表示装置において映像表示を行う際のホールドボケの抑制処理を行い、出力映像信号を生成する補正部と、
前記出力映像信号に基づいて映像表示を行う表示部と
を備え、
前記補正部は、各単位期間における注目画素の補正の際に、その直前の単位期間において補正済みの同一画素である補正済画素における補正結果を利用して、補正処理を行う
表示装置。
【発明の詳細な説明】
【技術分野】
【０００１】
本発明は、ホールド型の表示装置において映像表示を行う際のホールドボケに起因する画質劣化を改善するための処理を行う映像信号処理装置、およびそのような映像信号処理装置を備えた表示装置に関する。
【背景技術】
【０００２】
近年、映像（動画像）を表示するための映像信号処理装置において、入力側のテレビジョン方式と出力側のテレビジョン方式との間でフレームもしくはフィールド周波数が一定の同期関係がない場合でも、映像の品質を劣化させずに表示させる手法が提案されている。具体的には、フレームレートを調整する手法（フレームレート変換手法）が提案されている（例えば、特許文献１参照）。
【０００３】
このようなフレームレート変換手法を利用してフレームレートを増やすことにより、例えばＬＣＤ（Liquid Crystal Display）のようなホールド型の表示装置において映像表示を行う際の、いわゆるホールドボケを改善することが可能となる。
【０００４】
しかしながら、フレームレート変換手法を利用してフレームレートを増やす場合、コストの増大を伴うため、むやみにフレームレートを増すことは現実的ではない。そこで、例えば特許文献２には、このような問題に対する改善技術が提案されている。
【先行技術文献】
【特許文献】
【０００５】
【特許文献１】特開２００６−６６９８７号公報
【特許文献２】特表２００７−５１５８７４号公報
【発明の概要】
【発明が解決しようとする課題】
【０００６】
上記特許文献２における映像信号処理装置では、フレームレートを増す代わりに所定の信号処理を行うことにより、ホールドボケを改善している。具体的には、帯域通過型フィルタを用いた手法となっている。
【０００７】
ところが、この帯域通過フィルタは、ホールドボケにおける理想的な逆フィルタではないため、改善効果が限定的であった。特に、高い空間周波数に対しての改善効果が十分ではなく、改善の余地があった。
【０００８】
本発明はかかる問題点に鑑みてなされたもので、その目的は、ホールドボケに起因する画質劣化をより適切に改善することが可能な映像信号処理装置および表示装置を提供することにある。
【課題を解決するための手段】
【０００９】
本発明の映像信号処理装置は、ホールド型の表示装置に適用される入力映像信号において、所定の単位期間ごとに動きベクトルを検出する検出部と、この動きベクトルを用いて、入力映像信号により構成される入力映像の各画素値を単位期間ごとに補正することにより、表示装置において映像表示を行う際のホールドボケの抑制処理を行い、出力映像信号を生成する補正部とを備えたものである。また、この補正部は、各単位期間における注目画素の補正の際に、その直前の単位期間において補正済みの同一画素である補正済画素における補正結果を利用して補正処理を行うようになっている。
【００１０】
本発明の表示装置は、上記本発明の映像信号処理装置と、この映像信号処理装置により生成される出力映像信号に基づいて映像表示を行う表示部とを備えたものである。
【００１１】
本発明の映像信号処理装置および表示装置では、上記入力映像信号において所定の単位期間ごとに動きベクトルが検出され、この動きベクトルを用いて入力映像信号により構成される入力映像の各画素値が単位期間ごとに補正されることにより、表示装置において映像表示を行う際のホールドボケの抑制処理がなされ、出力映像信号が生成される。このとき、各単位期間における注目画素の補正の際に、その直前の単位期間において補正済みの同一画素である補正済画素における補正結果を利用して、補正処理が行われる。これにより、このような補正処理が、時間方向におけるいわゆるＩＩＲ（Infinite Impulse Response；無限インパルス応答）フィルタ処理として機能するようになる。
【００１２】
なお、他の映像信号処理装置として、上記検出部と、上記動くベクトルを用いて、入力映像信号により構成される入力映像の各画素値を単位期間ごとに補正することにより、表示装置において映像表示を行う際のホールドボケの抑制処理を行い、出力映像信号を生成する補正部とを備えると共に、この補正部が、各単位期間において各画素値を順次補正していくと共に、注目画素における補正の際に、現在の単位期間の入力映像内で補正済みの画素である補正済画素における補正結果を利用して補正処理を行うようにしたものが挙げられる。この他の映像信号処理装置では、各単位期間において各画素値が順次補正されていくと共に、注目画素における補正の際に、現在の単位期間の入力映像内で補正済みの画素である補正済画素における補正結果を利用して、補正処理が行われる。これにより、このような補正処理が、空間方向におけるＩＩＲフィルタ処理として機能するようになる。よって、従来よりも高い空間周波数成分を含む入力映像信号においてもホールドボケを抑制することができ、ホールドボケに起因する画質劣化をより適切に改善することが可能となる。
【発明の効果】
【００１３】
本発明の映像信号処理装置および表示装置によれば、各単位期間における注目画素の補正の際に、その直前の単位期間において補正済みの同一画素である補正済画素における補正結果を利用して補正処理を行うようにしたので、このような補正処理を、時間方向におけるＩＩＲフィルタ処理として機能させることができる。よって、従来よりも高い空間周波数成分を含む入力映像信号においてもホールドボケを抑制することができ、ホールドボケに起因する画質劣化をより適切に改善することが可能となる。
【図面の簡単な説明】
【００１４】
【図１】本発明の第１の実施の形態に係る表示装置の全体構成を表すブロック図である。
【図２】図１に示したホールドボケ抑制処理部の詳細構成を表すブロック図である。
【図３】図２に示した予測値生成部の詳細構成を表すブロック図である。
【図４】第１の実施の形態に係るステップ画像におけるホールドボケと予測値との位相関係の一例を表す波形図である。
【図５】網膜上においてステップ画像を再現する予測値の一例を表す波形図である。
【図６】追従視条件での空間インパルス型ホールドボケの一例を表す模式図である。
【図７】追従視条件での時間インパルス型ホールドボケの一例を表す模式図である。
【図８】図２に示した補正量算出部の詳細構成を表すブロック図である。
【図９】更新係数とフレームナンバーとの関係の一例を表す特性図である。
【図１０】図２に示した補正値遅延部の詳細構成を表すブロック図である。
【図１１】本発明の第２の実施の形態に係るホールドボケ抑制処理部の詳細構成を表すブロック図である。
【図１２】図１１に示した予測値生成部の詳細構成を表すブロック図である。
【図１３】第２の実施の形態に係るステップ画像におけるホールドボケと予測値との位相関係の一例を表す波形図である。
【図１４】図１１に示した補正量算出部の詳細構成を表すブロック図である。
【図１５】図１１に示した補正値遅延部の詳細構成を表すブロック図である。
【図１６】第２の実施の形態の変形例に係るホールドボケ抑制処理部の詳細構成を表すブロック図である。
【図１７】変形例に係る補正値の混合比率の一例を表す特性図である。
【図１８】本発明が適用される映像信号処理装置の全部または一部分のハードウェア構成の一例を表すブロック図である。
【発明を実施するための形態】
【００１５】
以下、本発明の実施の形態について、図面を参照して詳細に説明する。なお、説明は以下の順序で行う。
１．第１の実施の形態（フレーム間処理によるホールドボケ抑制処理の例）
２．第２の実施の形態（フレーム内処理によるホールドボケ抑制処理の例）
変形例（フレーム内の２方向において求められた補正値を混合する場合の例）
【００１６】
＜１．第１の実施の形態＞
［表示装置１の全体構成］
図１は、本発明の第１の実施の形態に係る表示装置１のブロック構成を表すものである。この表示装置１は、ＩＰ（Interlace Progressive）変換部１１と、動きベクトル検出部１２（検出部）と、高フレームレート変換部１３と、ホールドボケ抑制処理部３（補正部）と、表示駆動部１４と、表示パネル１５とを備えている。なお、動きベクトル検出部１２およびホールドボケ抑制処理部３が、本発明における「映像信号処理装置」の一具体例に対応する。
【００１７】
ＩＰ変換部１１は、入力映像信号Ｄin（インタレース信号）に対してＩＰ変換を行うことにより、プログレッシブ信号からなる映像信号Ｄ０を生成するものである。
【００１８】
動きベクトル検出部１２は、ＩＰ変換部１１から出力される映像信号Ｄ０において、各フレーム期間（単位期間）ごとに、動きベクトルｍｖを検出するものである。なお、ここでは、ＩＰ変換部１１から出力される映像信号Ｄ０において動きベクトルｍｖを検出しているが、例えば、高フレームレート変換後の映像信号Ｄ１において動きベクトルｍｖを検出するようにしてもよい。ただし、その場合、ホールドボケ抑制処理部３において用いる際には、フレームレート変換比率で減算したのちの動きベクトル値を用いるようにする（２倍速の場合は１／２、４倍速の場合は１／４）。
【００１９】
なお、以下、動きベクトルｍｖの値を移動速度（移動量）と称し、また、動きベクトルｍｖの方向を移動方向と称する。この移動方向は、２次元平面上のいずれの方向ともなり得るものであり、表示装置１では、２次元平面上のいずれの方向が移動方向になった場合でも、後述する各種処理を全く同様に実行することが可能である。
【００２０】
高フレームレート変換部１３は、検出された動きベクトルｍｖを用いて、ＩＰ変換部１１から出力される映像信号Ｄ０に対して高フレームレート変換処理を行い、映像信号Ｄ１を生成・出力するものである。具体的には、第１のフレームレートの映像信号Ｄ０に対して高フレームレート変換処理を施し、この第１のフレームレートよりも高い第２のフレームレートの映像信号Ｄ１を、ホールドボケ抑制処理部３へ出力するようになっている。この高フレームレート変換処理とは、入力時の第１のフレームレートが出力（表示）時の第２のフレームレートよりも低い場合に実行される処理である。具体的には、入力時の動画像を構成する各フレームのそれぞれの間に、新たなフレームを作成してそれぞれ挿入することにより、第１のフレームレートをそれよりも高い第２のフレームレートに変換する処理である。
【００２１】
なお、第１のフレームレートとは、高フレームレート変換部１３に入力された時点の動画像のフレームレートを指す。したがって、第１のフレームレートは、任意のフレームレートとなり得る。
【００２２】
ホールドボケ抑制処理部３は、検出された動きベクトルｍｖを用いて、映像信号Ｄ１により構成される入力映像の各画素値をフレーム期間ごとに補正することにより、表示パネル１５において映像表示を行う際のホールドボケの抑制処理を行うものである。これにより、そのような補正処理後（ホールドボケ抑制処理後）の映像信号Ｄ２が生成されるようになっている。具体的には、ホールドボケ抑制処理部３は、各フレーム期間における注目画素の補正の際に、その直前の単位期間において補正済みの同一画素である補正済画素における補正結果を利用して、補正処理を行うようになっている。なお、このホールドボケ抑制処理部３の詳細構成および詳細動作については、後述する。
【００２３】
表示駆動部１４は、ホールドボケ抑制処理部３から出力される映像信号Ｄ２に基づいて、表示パネル１５に対する表示駆動動作を行うものである。
【００２４】
表示パネル１５は、いわゆるホールド型の表示パネルであり、表示駆動部１４による表示駆動動作に従って、映像信号Ｄ２に基づく映像表示を行うものである。このようなホールド型の表示パネル１５としては、例えば、ＬＣＤやＰＤＰ（Plasma Display Panel）、有機ＥＬ（Electro Luminescence）ディスプレイなどが挙げられる。
【００２５】
［ホールドボケ抑制処理部３の詳細構成］
次に、図２〜図１０を参照して、ホールドボケ抑制処理部３の詳細について説明する。図２は、このホールドボケ抑制処理部３の詳細構成を表すものである。ホールドボケ抑制処理部３は、入力位相補正部３０と、予測値生成部３１と、補正量算出部３２と、補正値遅延部３３とを有している。
【００２６】
（入力位相補正部３０）
入力位相補正部３０は、映像信号Ｄ１（画素データＩＢ（ｎ，ｔ）；ｔはｔ番目のフレーム期間を示す）と動きベクトルｍｖとに基づいて、画素データＩＢ（ｎ＋ｎｃ，ｔ）を生成するものである。この画素データＩＢ（ｎ＋ｎｃ，ｔ）は、画素データＩＢ（ｎ，ｔ）に対し、位相補正値ｎｃの分だけ位相補正を施した画素データに対応するものである。なお、このような位相補正を行うのは以下の理由によるものである。すなわち、まず、ホールドボケを含む画素データＩＢ（ｎ，ｔ）は、後述するように、ホールドボケを取り除いた場合と比較して位相変化を伴っている。また、そのような位相変化は、画素データＩＢ（ｎ，ｔ）に対する補正量が大きい場合に大きくなる。そのため、位相補正値ｎｃは、そのような位相変化によるずれ量を軽減するためのパラメータである。
【００２７】
（予測値生成部３１）
予測値生成部３１は、動きベクトルｍｖと、画素データＩＢ（ｎ，ｔ）と、後述する補正値遅延部３３から出力される予測値Ｅｓｔ（ｎ，ｔ−１）とに基づいて、現在のフレーム期間ｔにおける注目画素ｎでの補正値の予測値Ｅｓｔ（ｎ，ｔ）を求めるものである。
【００２８】
図３は、この予測値生成部３１の詳細構成を表すものである。予測値生成部３１は、移動方向微分回路３１２と、乗算器３１３と、加算器３１４とを有している。
【００２９】
移動方向微分回路３１２は、画像データＩＢ（ｎ，ｔ）と動きベクトルｍｖとに基づいて、以下説明する所定の微分演算を行うものである。これにより、順次補正方向（移動方向）の画素微分値ＩＢ'（ｎ，ｔ）が生成されるようになっている。
【００３０】
ここで、ホールドボケを表すモデルについて説明する。ホールドボケは、ホールド型のディスプレイで表示している動画像を、追従視の条件で観測している場合に発生する。ここで、ホールドボケとして認識している場合は、網膜上の仮想画像位置にディスプレイのフレーム周波数の期間の積分値が表示されるとモデル化することができる。そこで、ホールド型のディスプレイによって再生されている動画像を追従視の条件で観測している場合の画素位置（注目画素）をｎ、時刻ｔ０における網膜上のボケを含む仮想画像データをＩＢ（ｎ，ｔ０）、Ｔを撮像時のフレーム期間、Ｉreal（ｎ，ｔ）をホールドボケのない理想値とする。すると、この画像データＩＢ（ｎ，ｔ０）は、以下の（１）式で表すことができる。また、注目画素ｎを含む画像の少なくとも一部が等速度で平行移動していると仮定すると、（２）式で表すことができる。ここで、ｍｖは、１フレーム当りの動きベクトルを示す。この（２）式より、動きベクトルｍｖ方向の隣接差分をとることにより、ホールドボケを含む画像データＩＢ（ｎ）の動きベクトルｍｖ方向の画素微分値ＩＢ'（ｎ）は、以下の（３）式で表すことができる。
【００３１】
【数１】
2010266681.tif 000003
【００３２】
乗算器３１３は、移動方向微分回路３１２から出力される画素微分値ＩＢ'（ｎ，ｔ）と、動きベクトルｍｖとを乗算するものである。加算器３１４は、この乗算器３１３での乗算値のマイナス（−）値と、現在の１つ前（直前）のフレーム期間（ｔ−１）における予測値Ｅｓｔ（ｎ，ｔ−１）とを加算することにより、現在のフレーム期間ｔにおける予測値Ｅｓｔ（ｎ，ｔ）を生成するものである。
【００３３】
ここで、具体的には、これらの演算は、以下の式により表すことができる。まず、上記（３）式を書き換えると、以下の（４）式が得られる。また、この（４）式により、ホールドボケのない画像（画像データの推定値；予測値Ｅｓｔ（ｎ，ｔ））は、注目画素ｎから動きベクトルｍｖの分だけ離れた位置における画素がホールドボケのないものである場合には、以下のようにして求めることができる。すなわち、まず、（４）式において、フレーム間情報を用いた形に式を置き換えると、以下の（５）式が得られる。したがって、この（５）式により、予測値Ｅｓｔ（ｎ，ｔ）を求めるための以下の（６）式が得られる。この（６）式は、現在の１つ前（直前）のフレーム期間（ｔ−１）における予測値Ｅｓｔ（ｎ，ｔ−１）を用いて、現在のフレーム期間ｔにおける予測値Ｅｓｔ（ｎ，ｔ）を求めている。
【００３４】
【数２】
2010266681.tif 000004
【００３５】
ここで、図４に示すように、例えばステップエッジの信号にホールドボケが加わる場合、網膜上では、（振幅／移動量）の傾きにより表される直線的なボケ画像となる。また、網膜上においてステップエッジの画像を再現する場合には、例えば図５に示すように、（１／移動量）の幅であり振幅が移動量倍となっているインパルス波形が、移動量周期で無限に続くことになる。ここで、追従視の条件で観測すると、例えば図６（Ａ），（Ｂ）に示すように、ステップエッジが再現されることが分かる。このことは、別の見方として、次のように考えることができる。すなわち、まず、例えばＣＲＴ（Cathode Ray Tube）のような時間的にインパルス型の発光特性を示すディスプレイでは、ホールドボケが少ないことがよく知られている。図７（Ａ），（Ｂ）に、時間的にインパルス型の発光を示すディスプレイにおいて、ステップエッジを追従視の条件で観測した場合の特性を示す。図６，図７を比較すると、時間を空間に置き換えても、ホールドボケ改善効果は同じであることが分かる。
【００３６】
（補正量算出部３２）
補正量算出部３２は、画素データＩＢ（ｎ，ｔ）と、入力位相補正部３０から出力される画素データＩＢ（ｎ＋ｎｃ，ｔ）と、予測値生成部２１から出力される予測値Ｅｓｔ（ｎ）と、後述する補正値遅延部３３から出力される信頼性情報Ｔｒｓｔ（ｎ，ｔ−１）とに基づいて、補正量を求めるものである。具体的には、信頼性情報Ｔｒｓｔ（ｎ，ｔ）および予測値Ｅｓｔ（ｎ，ｔ）を補正値遅延部３３へ出力すると共に、映像信号Ｄ２（出力画素データＯｕｔ（ｎ，ｔ））を出力するようになっている。
【００３７】
図８は、この補正量算出部３２の詳細構成を表すものである。補正量算出部３２は、補正値生成部３２２と、信頼性情報算出部３２３とを有している。
【００３８】
補正値生成部３２２は、画像データＩＢ（ｎ＋ｎｃ，ｔ）と、予測値Ｅｓｔ（ｎ，ｔ）と、信頼性情報Ｔｒｓｔ（ｎ，ｔ−１）とに基づいて、以下の（７）式を用いることにより、予測値Ｅｓｔ（ｎ，ｔ）および出力画素データＯｕｔ（ｎ，ｔ）を生成するものである。この（７）式により表される演算処理は、いわゆるＩＩＲフィルタの構成となっている。なお、この（７）式において、αは更新係数であり、０から１の値を取りうると共に、この更新係数αの値は適応的に変えるべきものである。また、（７）式により、この更新係数αを用いて、注目画素ｎにおける補正処理の大きさが制御されていることが分かる。
【００３９】
信頼性情報算出部３２３は、画像データＩＢ（ｎ，ｔ）と、予測値Ｅｓｔ（ｎ，ｔ）とに基づいて、以下の（８），（９）式を用いることにより、信頼性情報Ｔｒｓｔ（ｎ，ｔ）（＝α（ｎ，ｔ））を生成するものである。
【００４０】
具体的には、この信頼性情報Ｔｒｓｔ（ｎ，ｔ）は以下のようにして求められる。まず、予測値Ｅｓｔ（ｎ，ｔ）の確からしさは、注目画素ｎにおける直前のフレーム期間（ｔ−１）での補正処理結果に依存する。このため、この直前のフレーム期間における、補正処理結果（補正値）とホールドボケを含む元の画素値との差分値が小さいほど、確からしさが大きいと考えられる。したがって、この予測値Ｅｓｔ（ｎ，ｔ）の確からしさは、例えば、直前のフレーム期間での補正量をΔとすると、信頼性情報Ｔｒｓｔ（ｎ，ｔ−１）を、この補正量Δの関数Ｆ（Δ）で表すことができ、これを上記した更新係数αとすることができる。よって、信頼性情報Ｔｒｓｔ（ｎ，ｔ−１）（＝α（ｎ，ｔ−１））は、以下の（８），（９）式により表される。なお、この関数Ｆ（Δ）は、補正量Δに関して単調に減少する関数で表され、例えば（１−Δ）である。
【００４１】
【数３】
2010266681.tif 000005
【００４２】
また、信頼性情報Ｔｒｓｔ（ｎ，ｔ−１）の値が大きい（高い）場合には、補正処理結果としての予測値Ｅｓｔ（ｎ，ｔ）の確からしさも高くなる。そのため、信頼性情報Ｔｒｓｔ（ｎ，ｔ）については、信頼性情報Ｔｒｓｔ（ｎ，ｔ−１）と同等の確からしさを設定することができる。すなわち、以下の（１０），（１１）式で表すことができる。
【００４３】
【数４】
2010266681.tif 000006
【００４４】
更に、更新係数αがフレームごとに大きく変動した場合、動画像においてチラつきとして認識されることがある。したがって、これを軽減するために、所定の２つの定数ｋ１，ｋ２を設定して、以下の（１２），（１３）式で表すこともできる。
【００４５】
【数５】
2010266681.tif 000007
【００４６】
なお、図９は一例として、フレームナンバー（Ｎｏ）に対しての関数Ｆ（Δ）の変動と、上記（１２），（１３）式においてｋ１＝０．９５，ｋ２＝０．５０の場合における信頼性情報Ｔｒｓｔ（ｎ，ｔ）の変動を示している。
【００４７】
加えて、ノイズを含む画像では、信頼性情報Ｔｒｓｔ（ｎ，ｔ）にも影響を与える。したがって、フレーム期間内の周辺画素とで適当なＬＰＦ処理を施すことも有効である。さらに、ノイズ成分によって補正量Δが大きくなり、必要以上に信頼性情報Ｔｒｓｔ（ｎ，ｔ）の値を小さく見積もってしまう可能性がある。そのため、ノイズ成分を検出し、ノイズ成分に応じて補正量Δの値をゲイン制御するようにしてもよい。また、例えば図６のような空間的インパルス型の方向に極端に設定した場合の問題的は、追従視の条件から外れた場合に、いわゆるジャーキネスが目立つことがある。また、ディスプレイのダイナミックレンジの制約があることである。したがって、更新係数αの値は、１に近いほどインパルス的となってホールドボケの改善効果が大きいものの、そのような弊害を考慮して決める必要がある。
【００４８】
（補正値遅延部３３）
補正値遅延部３３は、補正量算出部３２から出力される信頼性情報Ｔｒｓｔ（ｎ，ｔ）および予測値Ｅｓｔ（ｎ，ｔ）を保存（記憶）しておくものであり、１フレーム期間の遅延素子として機能している。
【００４９】
図１０は、この補正値遅延部３３の詳細構成を表すものである。補正値遅延部３３は、２つのフレームメモリ３３１，３３２を有している。
【００５０】
フレームメモリ３３１は、予測値Ｅｓｔ（ｎ，ｔ）に基づいて、１フレーム期間分だけ遅延させた予測値Ｅｓｔ（ｎ，ｔ−１）を生成するものである。フレームメモリ３３２は、信頼性情報Ｔｒｓｔ（ｎ）に基づいて、１フレーム期間分だけ遅延させた信頼性情報Ｔｒｓｔ（ｎ，ｔ−１）を生成するものである。
【００５１】
［表示装置１の作用・効果］
次に、表示装置１の作用および効果について説明する。
【００５２】
（基本動作）
この表示装置１では、図１に示したように、まず、ＩＰ変換部１１において、入力映像信号Ｄin（インタレース信号）に対してＩＰ変換を行うことにより、プログレッシブ信号からなる映像信号Ｄ０を生成する。次いで、動きベクトル検出部１２では、この映像信号Ｄ０において、各フレーム期間ごとに動きベクトルｍｖを検出する。次に、高フレームレート変換部１３では、この映像信号Ｄ０に対して高フレームレート変換処理を行い、映像信号Ｄ１を生成する。そして、表示駆動部１４では、以下説明するホールドボケ抑制処理部３から出力される映像信号Ｄ２に基づいて表示パネル１５に対する表示駆動動作を行う。これにより、ホールド型の表示パネル１５において、映像信号Ｄ２に基づく映像表示が行われる。
【００５３】
（ホールドボケ抑制処理）
このとき、ホールドボケ抑制処理部３では、以下説明するようなホールドボケ抑制処理を行う。すなわち、動きベクトルｍｖを用いて、映像信号Ｄ１により構成される入力映像の各画素値をフレーム期間ごとに補正することにより、表示パネル１５において映像表示を行う際のホールドボケの抑制処理を行い、映像信号Ｄ２を生成する。
【００５４】
具体的には、まず、図２に示したように、入力位相補正部３０において、画素データＩＢ（ｎ，ｔ）と動きベクトルｍｖとに基づいて、画素データＩＢ（ｎ，ｔ）に対して位相補正値ｎｃの分だけ位相補正を施してなる画素データＩＢ（ｎ＋ｎｃ，ｔ）を生成する。
【００５５】
次に、予測値生成部３１では、動きベクトルｍｖと、画素データＩＢ（ｎ，ｔ）と、直前のフレーム期間（ｔ−１）における予測値Ｅｓｔ（ｎ，ｔ−１）とに基づいて、現在のフレーム期間ｔにおける予測値Ｅｓｔ（ｎ，ｔ）を求める。
【００５６】
次いで、補正量算出部３２では、信頼性情報算出部３２３において、画像データＩＢ（ｎ，ｔ）と、予測値Ｅｓｔ（ｎ，ｔ）とに基づいて、信頼性情報Ｔｒｓｔ（ｎ，ｔ）を生成する。
【００５７】
そして、この補正量算出部３２では、補正値生成部２２２において、画像データＩＢ（ｎ＋ｎｃ，ｔ）と、予測値Ｅｓｔ（ｎ，ｔ）と、信頼性情報Ｔｒｓｔ（ｎ，ｔ−１）とに基づいて、予測値Ｅｓｔ（ｎ，ｔ）および出力画素データＯｕｔ（ｎ，ｔ）を生成する。
【００５８】
このようにしてホールドボケ抑制処理部３では、各フレーム期間における注目画素ｎの補正の際に、その直前のフレーム期間において補正済みの同一画素（補正済画素）における補正結果を利用して、補正処理が行われる。これにより、このような補正処理（前述の（６），（７）式の演算処理）が、時間方向におけるＩＩＲフィルタ処理として機能するようになる。
【００５９】
以上のように本実施の形態では、ホールドボケ抑制処理部３において、各フレーム期間における注目画素ｎの補正の際に、その直前のフレーム期間において補正済みの同一画素（補正済画素）における補正結果を利用して補正処理を行うようにしたので、このような補正処理を、時間方向におけるＩＩＲフィルタ処理として機能させることができる。よって、従来よりも高い空間周波数成分を含む入力映像信号においてもホールドボケを抑制することができ、ホールドボケに起因する画質劣化をより適切に改善する（鮮明が画像を得る）ことが可能となる。
【００６０】
＜２．第２の実施の形態＞
［ホールドボケ抑制処理部３の構成］
図１４は、第２の実施の形態に係るホールドボケ抑制処理部２のブロック構成を表すものである。このホールドボケ抑制処理部２は、予測値生成部２１と、補正量算出部２２と、補正値遅延部２３とを有している。
【００６１】
（予測値生成部２１）
予測値生成部２１は、動きベクトルｍｖと、映像信号Ｄ１（画素データＩＢ（ｎ））と、後述する補正値遅延部２３から出力される予測値Ｅｓｔ（ｎ−ｍｖ）とに基づいて、注目画素ｎでの補正値の予測値Ｅｓｔ（ｎ）を求めるものである。
【００６２】
図１２は、この予測値生成部２１の詳細構成を表すものである。予測値生成部２１は、ｍｖ／２遅延素子２１１と、微分回路２１２と、乗算器２１３と、加算器２１４とを有している。
【００６３】
ｍｖ／２遅延素子２１１は、画像データＩＢ（ｎ）と動きベクトルｍｖとに基づいて、ｍｖ／２の値に対応する画素分だけ遅延させた画素位置に対応する画像データＩＢ（ｎ−ｍｖ／２）を生成するものである。
【００６４】
微分回路２１２は、ｍｖ／２遅延素子２１１から出力される画像データＩＢ（ｎ−ｍｖ／２）に基づいて、前述した（２），（３）式と同様の所定の微分演算を行うことにより、順次補正方向の画素微分値ＩＢ'（ｎ−ｍｖ／２）を生成するものである。
【００６５】
乗算器２１３は、微分回路２１２から出力される画素微分値ＩＢ'（ｎ−ｍｖ／２）と、動きベクトルｍｖとを乗算するものである。加算器２１４は、この乗算器２１３での乗算値のマイナス（−）値と、予測値Ｅｓｔ（ｎ−ｍｖ）とを加算することにより、予測値Ｅｓｔ（ｎ）を生成するものである。
【００６６】
ここで、具体的には、これらの演算は、以下の式により表すことができる。まず、前述した（３）式を書き換えると、以下の（１４）式が得られる。また、この（１４）式により、ホールドボケのない画像（画像データの推定値；予測値Ｅｓｔ（ｎ））は、注目画素ｎから動きベクトルｍｖの分だけ離れた位置における画素がホールドボケのないものである場合には、以下の（１５），（１６）式により求めることができる。また、これらの（１５），（１６）式に位相補正項を加えると、以下の（１７），（１８）式が得られる。なお、これらの（１７），（１８）式の関係は、動きベクトルｍｖの極性を互いに入れ替えた関係にすぎない。つまり、動きベクトルｍｖの方向と処理の方向とをあえて意識せずに、動きベクトルｍｖの絶対値分だけ離れた画素位置における予測値を用いて、注目画素ｎの補正処理を行えばよい。
【００６７】
【数６】
2010266681.tif 000008
【００６８】
なお、図１３は、ステップ画像にホールドボケを加えてなる画像データＩＢ（ｎ），ＩＢ（ｎ−ｍｖ／２），ＩＢ（ｎ＋ｍｖ／２）と、予測値Ｅｓｔ（ｎ），Ｅｓｔ（ｎ−ｍｖ／２），Ｅｓｔ（ｎ＋ｍｖ／２）との位相関係を示している。
【００６９】
（補正量算出部２２）
補正量算出部２２は、動きベクトルｍｖと、映像信号Ｄ１（画素データＩＢ（ｎ））と、予測値生成部２１から出力される予測値Ｅｓｔ（ｎ）と、後述する補正値遅延部２３から出力される信頼性情報Ｔｒｓｔ（ｎ−ｍｖ）とに基づいて、補正量を求めるものである。具体的には、信頼性情報Ｔｒｓｔ（ｎ）および予測値Ｅｓｔ（ｎ）を補正値遅延部２３へ出力すると共に、映像信号Ｄ２（出力画素データＯｕｔ（ｎ））を出力するようになっている。
【００７０】
図１４は、この補正量算出部２２の詳細構成を表すものである。補正量算出部２２は、ｍｖ／２遅延素子２２１と、補正値生成部２２２と、信頼性情報算出部２２３とを有している。
【００７１】
ｍｖ／２遅延素子２２１は、画像データＩＢ（ｎ）と動きベクトルｍｖとに基づいて、ｍｖ／２の値に対応する画素分だけ遅延させた画素位置に対応する画像データＩＢ（ｎ−ｍｖ／２）を生成するものである。
【００７２】
補正値生成部２２２は、画像データＩＢ（ｎ）と、予測値Ｅｓｔ（ｎ）と、信頼性情報Ｔｒｓｔ（ｎ−ｍｖ）とに基づいて、以下の（１９）式を用いることにより、予測値Ｅｓｔ（ｎ）および映像信号Ｄ２（出力画素データＯｕｔ（ｎ））を生成するものである。この（１９）式により表される演算処理は、いわゆるＩＩＲフィルタの構成となっている。なお、この（１９）式において、αは更新係数であり、０から１の値を取りうると共に、この更新係数αの値は適応的に変えるべきものである。また、（１９）式により、この更新係数αを用いて、注目画素ｎにおける補正処理の大きさが制御されていることが分かる。
【００７３】
信頼性情報算出部２２３は、ｍｖ／２遅延素子２２１から出力される画像データＩＢ（ｎ−ｍｖ／２）と、予測値Ｅｓｔ（ｎ）とに基づいて、以下の（１０），（１１）式を用いることにより、信頼性情報Ｔｒｓｔ（ｎ）を生成するものである。
【００７４】
具体的には、この信頼性情報Ｔｒｓｔ（ｎ）は以下のようにして求められる。まず、予測値Ｅｓｔ（ｎ）の確からしさは、注目画素ｎから動きベクトルｍｖの分だけ離れた画素位置での補正処理結果に依存する。このため、この動きベクトルｍｖの分だけ離れた画素位置における、補正処理結果（補正値）と、ホールドボケを含む元の画素値との差分値が小さいほど、確からしさが大きいと考えられる。したがって、この予測値Ｅｓｔ（ｎ）の確からしさは、例えば、動きベクトルｍｖの分だけ離れた画素位置での補正量をΔとすると、信頼性情報Ｔｒｓｔ（ｎ）を、この補正量Δの関数Ｆ（Δ）で表すことができ、これを上記した更新係数αとすることができる。よって、注目画素ｎが増加する方向に補正処理を進めるとすると、信頼性情報Ｔｒｓｔ（ｎ）（＝α（ｎ））は、以下の（２０），（２１）式により表される。なお、この関数Ｆ（Δ）は、補正量Δに関して単調に減少する関数で表され、例えば（１−Δ）である。
【００７５】
【数７】
2010266681.tif 000009
【００７６】
また、信頼性情報Ｔｒｓｔ（ｎ−ｍｖ）の値が大きい（高い）場合には、補正処理結果としての予測値Ｅｓｔ（ｎ）の確からしさも高くなるため、信頼性情報Ｔｒｓｔ（ｎ）については、信頼性情報Ｔｒｓｔ（ｎ−ｍｖ）と同等の確からしさを設定することができる。すなわち、以下の（２２），（２３）式で表すことができる。
【００７７】
【数８】
2010266681.tif 000010
【００７８】
更に、更新係数αがフレームごとに大きく変動した場合、動画像においてチラつきとして認識されることがある。したがって、これを軽減するために、所定の２つの定数ｋ１，ｋ２を設定して、以下の（２４），（２５）式で表すこともできる。
【００７９】
【数９】
2010266681.tif 000011
【００８０】
加えて、ノイズを含む画像では、信頼性情報Ｔｒｓｔ（ｎ）にも影響を与える。したがって、フレーム期間内の周辺画素とで適当なＬＰＦ処理を施すことも有効である。さらに、ノイズ成分によって補正量Δが大きくなり、必要以上に信頼性情報Ｔｒｓｔ（ｎ）の値を小さく見積もってしまう可能性がある。そのため、ノイズ成分を検出し、ノイズ成分に応じて補正量Δの値をゲイン制御するようにしてもよい。また、例えば図６のような空間的インパルス型の方向に極端に設定した場合の問題的は、追従視の条件から外れた場合に、いわゆるジャーキネスが目立つことがある。また、ディスプレイのダイナミックレンジの制約があることである。したがって、更新係数αの値は、１に近いほどインパルス的となってホールドボケの改善効果が大きいものの、そのような弊害を考慮して決める必要がある。
【００８１】
（補正値遅延部２３）
補正値遅延部２３は、補正量算出部２２から出力される信頼性情報Ｔｒｓｔ（ｎ）および予測値Ｅｓｔ（ｎ）を保存（記憶）しておくものであり、動きベクトルｍｖの大きさの遅延素子として機能している。
【００８２】
図１５は、この補正値遅延部２３の詳細構成を表すものである。補正値遅延部２３は、２つのｍｖ遅延素子２３１，２３２を有している。
【００８３】
ｍｖ遅延素子２３１は、予測値Ｅｓｔ（ｎ）と動きベクトルｍｖとに基づいて、ｍｖの値に対応する画素分だけ遅延させた画素位置に対応する予測値Ｅｓｔ（ｎ−ｍｖ）を生成するものである。ｍｖ遅延素子２３２は、信頼性情報Ｔｒｓｔ（ｎ）と動きベクトルｍｖとに基づいて、ｍｖの値に対応する画素分だけ遅延させた画素位置に対応する信頼性情報Ｔｒｓｔ（ｎ−ｍｖ）を生成するものである。
【００８４】
［ホールドボケ抑制処理部２の作用・効果］
次に、ホールドボケ抑制処理部２の作用および効果について説明する。なお、表示装置全体の作用（基本動作）については、上記第１の実施の形態の表示装置１と同様であるため、説明を省略する。
【００８５】
（ホールドボケ抑制処理）
このホールドボケ抑制処理部２では、まず、予測値生成部２１において、動きベクトルｍｖと、映像信号Ｄ１（画素データＩＢ（ｎ））と、予測値Ｅｓｔ（ｎ−ｍｖ）とに基づいて、予測値Ｅｓｔ（ｎ）を求める。
【００８６】
次いで、補正量算出部２２では、信頼性情報算出部２２３において、画像データＩＢ（ｎ−ｍｖ／２）と予測値Ｅｓｔ（ｎ）とに基づいて、信頼性情報Ｔｒｓｔ（ｎ）を生成する。
【００８７】
そして、この補正量算出部２２では、補正値生成部２２２において、画像データＩＢ（ｎ）と、予測値Ｅｓｔ（ｎ）と、信頼性情報Ｔｒｓｔ（ｎ−ｍｖ）とに基づいて、予測値Ｅｓｔ（ｎ）および映像信号Ｄ２（出力画素データＯｕｔ（ｎ））を生成する。
【００８８】
このようにしてホールドボケ抑制処理部２では、各フレーム期間において各画素値が順次補正されていくと共に、注目画素ｎにおける補正の際に、現在のフレーム期間の入力映像内で補正済みの画素（補正済画素）における補正結果を利用して、補正処理が行われる。これにより、このような補正処理（前述の（１７）〜（１９）式の演算処理）が、空間方向におけるＩＩＲフィルタ処理として機能するようになる。
【００８９】
以上のように本実施の形態では、ホールドボケ抑制処理部２において、各フレーム期間において各画素値を順次補正していくと共に、注目画素ｎにおける補正の際に、現在のフレーム期間の入力映像内で補正済みの画素（補正済画素）における補正結果を利用して補正処理を行うようにしたので、このような補正処理を、空間方向におけるＩＩＲフィルタ処理として機能させることができる。よって、従来よりも高い空間周波数成分を含む入力映像信号においてもホールドボケを抑制することができ、ホールドボケに起因する画質劣化をより適切に改善する（鮮明が画像を得る）ことが可能となる。
【００９０】
［第２の実施の形態の変形例］
次に、第２の実施の形態の変形例について説明する。なお、第２の実施の形態における構成要素と同一のものには同一の符号を付し、適宜説明を省略する。
【００９１】
図１６は、本変形例に係るホールドボケ抑制処理部２Ａのブロック構成を表すものである。このホールドボケ抑制処理部２Ａは、入力保存部２０と、２つの予測値生成部２１−１，２１−２と、２つの補正量算出部２２−１，２２−２と、２つの補正値遅延部２３−１，２３−２と、補正値保存部２４と、補正値混合部２５とを有している。上記第２の実施の形態で説明したホールドボケ抑制処理部２との違いは、処理方向が互いに逆向きである２つの予測値生成部等を設けるようにした点である。すなわち、補正済画素における補正結果を互いに異なる複数の補正済画素において取得すると共に、これら複数の補正結果のそれぞれを利用して得られた複数の補正値を混合することにより、注目画素ｎにおける最終的な補正値を求めている。
【００９２】
入力保存部２０は、映像信号Ｄ１（画素データＩＢ（ｎ））における所定の範囲内のデータを保存するものである。
【００９３】
予測値生成部２１−１、補正量算出部２２−１および補正値遅延部２３−１は、上記第１の実施の形態と同様の動作を行う。すなわち、予測値生成部２１−１において、動きベクトルｍｖと、映像信号Ｄ１（画素データＩＢ（ｎ））と、補正値遅延部２３−１から出力される予測値Ｅｓｔ（ｎ＋ｍｖ）とに基づいて、予測値Ｅｓｔ１（ｎ）を求める。補正量算出部２２−１では、画素データＩＢ（ｎ）から求められる画像データＩＢ（ｎ＋ｍｖ／２）と、予測値Ｅｓｔ１（ｎ）とに基づいて、信頼性情報Ｔｒｓｔ１（ｎ）を生成する。また、補正量算出部２２−１では、画像データＩＢ（ｎ）と、予測値Ｅｓｔ１（ｎ）と、補正値遅延部２３−１から出力される信頼性情報Ｔｒｓｔ１（ｎ＋ｍｖ）とに基づいて、予測値Ｅｓｔ１（ｎ）および出力画素データＯｕｔ１（ｎ）を生成する。
【００９４】
予測値生成部２１−２、補正量算出部２２−２および補正値遅延部２３−２も、上記第１の実施の形態と同様の動作を行う。すなわち、予測値生成部２１−２において、動きベクトルｍｖと、映像信号Ｄ１（画素データＩＢ（ｎ））と、補正値遅延部２３−２から出力される予測値Ｅｓｔ（ｎ−ｍｖ）とに基づいて、予測値Ｅｓｔ２（ｎ）を求める。補正量算出部２２−２では、画素データＩＢ（ｎ）から求められる画像データＩＢ（ｎ−ｍｖ／２）と、予測値Ｅｓｔ２（ｎ）とに基づいて、信頼性情報Ｔｒｓｔ２（ｎ）を生成する。また、補正量算出部２２−２では、画像データＩＢ（ｎ）と、予測値Ｅｓｔ２（ｎ）と、補正値遅延部２３−２から出力される信頼性情報Ｔｒｓｔ２（ｎ−ｍｖ）とに基づいて、予測値Ｅｓｔ２（ｎ）および出力画素データＯｕｔ２（ｎ）を生成する。
【００９５】
補正値保存部２４は、補正量算出部２２−１から出力される出力画素データＯｕｔ１（ｎ）および信頼性情報Ｔｒｓｔ１（ｎ）を保存するものである。
【００９６】
補正値混合部２５は、補正値保存部２４または補正量算出部２２−２から出力される信頼性情報Ｔｒｓｔ１（ｎ），Ｔｒｓｔ２（ｎ）の値の比率に応じて、これらから出力される２つの補正値（出力画素データＯｕｔ１（ｎ），Ｏｕｔ２（ｎ）の値）を混合するものである。具体的には、例えば図１７に示したように、（Ｔｒｓｔ１（ｎ）−Ｔｒｓｔ２（ｎ））の値に応じて、Ｏｕｔ（ｎ）＝Ａ１×Ｏｕｔ１（ｎ）＋Ａ２×Ｏｕｔ２（ｎ）の式中の係数Ａ１，Ａ２の値の比率を変化させつつ、最終的な出力画素データＯｕｔ（ｎ）を生成する。
【００９７】
以上のように本変形例では、処理方向が互いに逆向きである２つの予測値生成部２１−１，２１−２等を設けるようにしたので、予測値の確からしさを高める方法として、複数の予測値からより確からしさの高い予測値を求めることが可能となる。
【００９８】
また、補正値混合部２５において、それぞれの予測値を信頼性の程度の比率に応じて混合するようにしたので、さらに信頼性の高い予測値を求めることが可能となる。
【００９９】
（その他の変形例）
以上、いくつかの実施の形態および変形例を挙げて本発明を説明したが、本発明はこれらの実施の形態等に限定されず、種々の変形が可能である。
【０１００】
例えば、上記第１の実施の形態で説明したホールドボケ抑制処理では、場合によってはノイズを強調してしまう可能性がある。したがって、これによる弊害を抑えるため、補正量算出部において、入力信号のフレーム差分信号振幅の関数によって補正量のゲイン制御をしたり、補正値の出力部に各種フィルタを配置するのが望ましい。このようなフィルタとしては、例えばεフィルタが有効である。同様に、上記第２の実施の形態およびその変形例で説明したホールドボケ抑制処理では、場合によってはノイズを強調してしまう可能性がある。したがって、これによる弊害を抑えるため、補正量算出部において、入力信号の遅延した画素位置（例えば、ｍｖ／２遅延）との差分信号振幅の関数によって補正量のゲイン制御をしたり、補正値の出力部に各種フィルタを配置するのが望ましい。このようなフィルタとしては、例えばεフィルタが有効である。
【０１０１】
更に、上記実施の形態等において説明したホールドボケのモデルおよび補正量の算出処理では、入力映像信号Ｄinは、撮像装置側においてγ処理がなされたデータ（カメラγ）となっている。また、ホールドボケのモデル式である（１）式は、γ処理がなされていない映像信号となっている。そのため、予測値を算出する際に、映像信号Ｄ１に対してカメラγの逆γ処理を施すと共に、補正値を出力する際に、カメラγ処理を施すようにするのが望ましい。
【０１０２】
加えて、上記実施の形態等で説明したホールドボケ抑制処理部は、単体で用いることも可能であるし、また、図示しない他のブロック（所定の画像処理を施す他の画像処理部）と組み合わせて用いることも可能である。
【０１０３】
加えてまた、上記実施の形態等で実行される高フレームレート変換処理において、入力映像信号の第１のフレームレート（フレーム周波数）と、出力映像信号の第２のフレームレート（フレーム周波数）との組み合わせは、特に限定されず、任意の組み合わせでよい。具体的には例えば、入力映像信号の第１のフレームレートとして６０（または３０）〔Ｈｚ〕を採用し、かつ、出力映像信号の第２のフレームレートとして１２０［Ｈｚ］を採用することができる。例えば、入力映像信号の第１のフレームレートとして６０（または３０）〔Ｈｚ〕を採用し、かつ、出力映像信号の第２のフレームレートとして２４０［Ｈｚ］を採用することができる。例えば、入力映像信号の第１のフレームレートとして、ＰＡＬ（Phase Alternation by Line）方式に対応する５０〔Ｈｚ〕を採用し、かつ、出力映像信号の第２のフレームレートとして１００〔Ｈｚ〕や２００〔Ｈｚ〕を採用することができる。例えば、入力映像信号の第１のフレームレートとして、テレシネに対応する４８〔Ｈｚ〕を採用し、かつ、出力映像信号の第２のフレームレートとしてそれ以上の所定の周波数を採用することができる。
【０１０４】
更にまた、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。図１８は、これら一連の処理を実行するプログラムがインストールされるコンピュータの一実施の形態の構成例を示している。このようなプログラムは、コンピュータ２００に内蔵されている記録媒体としてのハードディスク２０５やＲＯＭ２０３に予め記録しておくことができる。あるいはまた、プログラムは、リムーバブル記録媒体２１１に、一時的あるいは永続的に格納（記録）しておくことができる。リムーバブル記録媒体２１１としては、例えば、フレキシブルディスク、ＣＤ−ＲＯＭ（Compact Disc Read Only Memory），ＭＯ（Magneto Optical）ディスク，ＤＶＤ（Digital Versatile Disc）、磁気ディスク、半導体メモリなどが挙げられる。このようなリムーバブル記録媒体２１１は、いわゆるパッケージソフトウエアとして提供することができる。なお、プログラムは、上述したようなリムーバブル記録媒体２１１からコンピュータにインストールする他、ダウンロードサイトから、ディジタル衛星放送用の人工衛星を介して、コンピュータに無線で転送したり、ＬＡＮ（Local Area Network）、インターネットといったネットワークを介して、コンピュータに有線で転送することができる。そして、コンピュータでは、そのようにして転送されてくるプログラムを、通信部２０８で受信し、内蔵するハードディスク２０５にインストールすることができる。
【０１０５】
また、このコンピュータ２００は、ＣＰＵ２０２を内蔵している。このＣＰＵ２０２には、バス２０１を介して、入出力インタフェース２１０が接続されている。ＣＰＵ２０２は、入出力インタフェース２１０を介して、ユーザによって、キーボードや、マウス、マイク等で構成される入力部２０７が操作等されることにより指令が入力されると、それにしたがって、ＲＯＭ２０３に格納されているプログラムを実行する。あるいは、また、ＣＰＵ２０２は、ハードディスク２０５に格納されているプログラム、衛星もしくはネットワークから転送され、通信部２０８で受信されてハードディスク２０５にインストールされたプログラム、またはドライブ２０９に装着されたリムーバブル記録媒体２１１から読み出されてハードディスク２０５にインストールされたプログラムを、ＲＡＭ（Random Access Memory）２０４にロードして実行する。これにより、ＣＰＵ２０２は、上述したフローチャートにしたがった処理、あるいは上述したブロック図の構成により行われる処理を行う。そして、ＣＰＵ２０２は、その処理結果を、必要に応じて、例えば、入出力インタフェース２１０を介して、ＬＣＤやスピーカ等で構成される出力部２０６から出力、あるいは、通信部２０８から送信、さらには、ハードディスク２０５に記録等させるようになっている。
【符号の説明】
【０１０６】
１…表示装置、１１…ＩＰ変換部、１２…動きベクトル検出部、１３…高フレームレート変換部、１４…表示駆動部、１５…表示パネル、２，２Ａ…ホールドボケ抑制処理部、２０…入力保存部、２１，２１−１，２１−２…予測値生成部、２２，２２−１，２２−２…補正量算出部、２３，２３−１，２３−２…補正値遅延部、２４…補正値保存部、２５…補正値混合部、３…ホールドボケ抑制処理部、３０…入力位相補正部、３１…予測値生成部、３２…補正量算出部、３３…補正値遅延部、Ｄin，Ｄ０〜Ｄ２…映像信号、ｍｖ…動きベクトル。
【図１】
2010266681.tif 000012
【図２】
2010266681.tif 000013
【図３】
2010266681.tif 000014
【図４】
2010266681.tif 000015
【図５】
2010266681.tif 000016
【図６】
2010266681.tif 000017
【図７】
2010266681.tif 000018
【図８】
2010266681.tif 000019
【図９】
2010266681.tif 000020
【図１０】
2010266681.tif 000021
【図１１】
2010266681.tif 000022
【図１２】
2010266681.tif 000023
【図１３】
2010266681.tif 000024
【図１４】
2010266681.tif 000025
【図１５】
2010266681.tif 000026
【図１６】
2010266681.tif 000027
【図１７】
2010266681.tif 000028
【図１８】
2010266681.tif 000029